(57)【特許請求の範囲】
【請求項１】
構築する建物の外周に組み立てられている枠組足場、該枠組足場の所定範囲に装備される天井クレーンの支持部材及び該支持部材に配備される天井クレーンから構成される枠組足場に組込んだ天井クレーンであって、
前記枠組足場の所定範囲が、該枠組足場に形成される前記天井クレーンの出入可能な開口部であって、該開口部の側部を構成する該枠組足場に該天井クレーンの前記支持部材を装備し、該支持部材に該開口部を出入する該天井クレーンを配備することを特徴とする枠組足場に組込んだ天井クレーン。
【請求項２】
前記支持部材が、前記枠組足場と並行に設けられる走行レールから構成され、該走行レールと前記開口部に沿って前記天井クレーンが移動することを特徴とする請求項１に記載の枠組足場に組込んだ天井クレーン。
【請求項３】
前記支持部材が、前記開口部の側部を構成する前記枠組足場の間に装備される梁部材から成り、該梁部材に該開口部を出入する前記天井クレーンの吊下親材を配備することを特徴とする請求項１に記載の枠組足場に組込んだ天井クレーン。
【発明の詳細な説明】
【０００１】
【発明の属する技術分野】
本発明は、枠組足場に組込んだ天井クレーンに関し、特に、建物を構築する天井クレーンを支えるクレーン支柱等を設けることなく、建築現場に必須の枠組足場を有効に活用する枠組足場に組込んだ天井クレーンに関する。
【０００２】
【従来の技術】
市街地における建築工事では、狭隘な敷地が多くなっており、揚重設備の計画に苦慮している。
【０００３】
このために、住宅等の小規模な建築現場では、移動式クレーンの進入や移動の制約を解消するために、図９、１０に示すように敷地全体に足場支柱５１を立設して、足場支柱５１に足場板用のブラケットを兼用したブラケット５２を設けて天井クレーン５０を構成する例が提案されている。
【０００４】
天井クレーン５０は、足場支柱５１のブラケット５２に、互いに平行な一対のレール５３、５３を取り付けてあり、このレール間にクレーンビーム５４を移動自在に支持させてあり、クレーンビーム５４の長手方向に沿って移動するトロリー５５を取り付けて構成している。
【０００５】
しかしながら、集合住宅や事務所ビル等の建築現場では、建築現場全体をカバーすることは規模的に無理であり、構造的にも足場支柱を立設させるような簡易な構成では強度的に困難である。
【０００６】
さらに、クレーンビーム５４に沿って移動するトロリー５５の稼働範囲では、集合住宅や事務所ビル等の建築現場で頻繁に行われているような、工場等から建築現場に搬入されてくる資材等を吊り上げて構築中の建物内に持ち込むことは不可能である。
【０００７】
従って、集合住宅や事務所ビル等の建築現場では、狭隘な敷地における揚重設備の問題を解決できる計画案は、未だに提供されていないのが現状である。
【０００８】
【発明が解決しようとする課題】
本発明は、上記の現状に鑑みて問題を解決するために考案されたものであり、建物の建築現場において必須である枠組足場を有効に活用することでクレーン支柱等を設けずに構成し、搬入されてくる建築資材を随時吊り上げて、開口部から建屋内に運搬する枠組足場に組込んだ天井クレーンを提供している。
【００１１】
【課題を解決するための手段】
請求項１に記載の発明である枠組足場に組込んだ天井クレーンは、構築する建物の外周に組み立てられている枠組足場と、枠組足場の所定範囲に装備される天井クレーンの支持部材及び支持部材に配備される天井クレーンから構成され、枠組足場の所定範囲を、枠組足場に形成される天井クレーンの出入可能な開口部とし、開口部の側部を構成する枠組足場に天井クレーンの支持部材を装備して、支持部材に開口部を出入する天井クレーンを配備することを特徴としており、建物の外周に組み立てられて行く枠組足場に天井クレーンを盛り替えしながら配備して、狭隘な敷地における揚重設備の問題を解決していることに加えて、開口部からの資材搬入を可能にしている。
【００１２】
請求項２に記載の発明である枠組足場に組込んだ天井クレーンは、請求項１に記載の天井クレーンにおいて、支持部材を、枠組足場と並行に設けられる走行レールから構成して、走行レールと開口部に沿って天井クレーンが移動することを特徴としており、上記機能に加えて、資材を吊り上げてから作業現場内を広く稼働できるようにしている。
【００１３】
請求項３に記載の発明である枠組足場に組込んだ天井クレーンは、請求項１に記載の天井クレーンにおいて、支持部材を、開口部の側部を構成する枠組足場の間に装備される梁部材から構成して、梁部材に開口部を出入する天井クレーンの吊下親材を配備することを特徴としており、上記機能に加えて、資材を吊り上げて作業階に搬入している。
【００１４】
【発明の実施の形態】
本発明による枠組足場に組込んだ天井クレーンは、基本的に、構築する建物の外周に組み立てられている枠組足場と、枠組足場の所定範囲に装備される天井クレーンの支持部材及び支持部材に配備される天井クレーンから構成されており、
枠組足場の所定範囲を、枠組足場に形成される天井クレーンの出入可能な開口部とし、開口部の側部を構成する枠組足場に天井クレーンの支持部材を装備して、支持部材に開口部を出入する天井クレーンを配備することを特徴としている。
【００１５】
これによって、建物の外周に組み立てられて行く枠組足場に天井クレーンを盛り替えしながら配備して、狭隘な敷地における揚重設備の問題を解決していることに加えて、開口部からの資材搬入を可能にしている。以下に、本発明の実施の形態を図面に基づいて説明する。
【００１６】
図１〜４は、枠組足場に組込んだ天井クレーンの実施の形態を示している。図１は、天井クレーンを配備した枠組足場の斜視図であり、図２は、補強された通常の枠組足場に組込んだ天井クレーンの部分斜視図、図３、４は天井クレーンを組込んだ枠組足場の正面図と平面図である。
【００１７】
本実施の形態における天井クレーンは、天井クレーンの支持部材を、枠組足場と並行に設けられる走行レールから構成して、走行レールと開口部に沿って天井クレーンを移動させることを特徴としており、資材を吊り上げてから作業現場内を広く稼働できるようにしている。
【００１８】
図において、１は、建物を構築するため枠組足場であり、２は、枠組足場の所定の位置に装備されている天井クレーンの支持部材、３は、支持部材に配備されている天井クレーンである。
【００１９】
図１の斜視図で示すように、枠組足場１は、建物１１を構築するためにその外周に組み立てられている通常の架設足場である。従って、枠組足場１は、壁つなぎ４によって構築が完了した躯体５から支持を取りながら、建物の構築につれて漸次上方に組み立てられて行き、建物の構築と同時に積層されて建物の構築が完了した段階で解体される。
【００２０】
本発明は、以上のような枠組足場の本来的に備えている、建物の構築と共に上方に積層されて行く機能に着目し、枠組足場を天井クレーンの支持体として兼用することで、建物の構築に従って天井クレーンの支持位置を盛り替えながら必要な建築資材の搬入、搬送等を実施しようとするものであり、クレーン等の揚重設備を別途に配置することを不要にしている。
【００２１】
このために、枠組足場１には、搬送されてくる建築資材を吊り上げて建築現場に運ぶ込むための開口部６が設けてあり、開口部６の両側に配置されている通常の枠組足場７、７には、これを補強して、天井クレーン３の安全な稼働を可能にするための支持部材２が装備されている。
【００２２】
天井クレーンの支持部材２は、図２、３に拡大して部分的に示すように、Ｈ鋼材等から成る建地補強用部材２１を枠組足場の両側にある竪枠２２に添わせて結合させ、両建地補強用部材２１、２１が敷設されている範囲の枠組足場の横枠２３に保持され、両建地補強用部材２１、２１間に配置される水平つなぎ部材２４と、敷設された両建地補強用部材２１、２１を結合する筋交い２５とで構成されている。
支持部材２を配備する範囲は、天井クレーンの鉛直荷重を枠組足場で支持するために鉛直荷重を分散させられる枠組足場足場の範囲７、７である。
【００２３】
これによって、枠組足場７、７と両建地補強用部材２１、２１とを一体に結合させて、枠組足場７が内外にふくらみ変形を生じないように補強されており、支持部材で補強された枠組足場の垂直荷重と倒壊防止は、枠組足場の竪枠２２と躯体５に設けられた壁つなぎ４とによって、通常通りに支持されている。
【００２４】
又、建物側の建地補強用部材２１の天端部には、走行レール支持用ブラケット２６が配備されており、走行レール支持用ブラケット２６の下部には天井クレーン用走行レール２７が保持されている。天井クレーン３に設けられた走行移動体２８は電動トロリー２９によって駆動されており、天井クレーン３が走行レール２７上を枠組足場１に沿って平行に移動することを可能にしている。
【００２５】
天井クレーン３は、図３の正面図で概要を示すように、ガーダー３１と電動トロリ付き巻上機３５を装備したすべり出しビーム３２から構成されており、すべり出しビーム３２を枠組足場１の開口部６から外部に張出させて、工場等から搬送されてきた建築資材を電動トロリ付き巻上機３５で吊り上げると共に、天井クレーン用走行レール２７上を走行することで建築現場内を自由に移動して、建築資材を所定の場所に容易に移送している。
【００２６】
ガーダー３１は、図２、３に表示されているように角パイプ３３とその下部に溶接やボルト接合によって一体に設けたＩ型鋼３４から構成されており、Ｉ型鋼３４の両端に走行移動体２８を装備して枠組足場１の走行レール２７、２７間に掛け渡して、走行レール２７上を移動可能な状態を形成している。
【００２７】
ガーダー３１のＩ型鋼３４には、すべり出しビーム３２を吊り下げて配置しており、すべり出しビーム３２の上面に設けた一方が電動のトロリ３６、３６によって、Ｉ型鋼３４と平行な方向に移動可能な状態を形成している。
【００２８】
上述したように、すべり出しビーム３２には電動トロリ付き巻上機３５が装備されており、図３に示すように、すべり出しビーム３２をガーダー３１の１側端に最大に移動させて枠組足場１の開口部６から外方に突出させながら、電動トロリ付き巻上機３５をもすべり出しビーム３２の先端にまで移動させて、必要とする資材の揚重を容易に実施している。
【００２９】
又、資材を吊り上げた電動トロリ付き巻上機３５は、そのままの状態で矢印のように作業現場に移動して、すべり出しビーム３２の電動トロリ３６によるガーダー３１に沿った移動との兼ね合いでガーダー３１の他側端に最大に移動させて、作業現場における資材の搬送を簡潔に実施している。
【００３０】
さらに、図４の平面図で示すように、枠組足場１に形成した開口部６の両側には所定の範囲に亘って、枠組足場７に補強を兼ねた天井クレーンの支持部材２が配備されている。そして、天井クレーンの支持部材２には、一定長さの走行レール２７が走行レール支持用ブラケット２６で支持されながら配置されていることから、ガーダー３１は開口部６を中心にして走行レール２７の範囲において、枠組足場１に沿った平行移動も可能になっている。
【００３１】
本発明においては、所定の作業階での施工が完了して作業階を上方に移動させる場合には、天井クレーンの支持部材２が配備されている枠組足場７を含んだ枠組足場１の上方に、通常の施工手順に従って枠組足場１の組み立てが漸次行われて行く。同時に、天井クレーン３の解体と、各個の天井クレーン支持部材２を構成している、走行レール支持用ブラケット２６からの走行レール２７の取り外し及び建地補強用部材２１からの走行レール支持用ブラケット２６の取り外しが行われる。
【００３２】
所定の枠組足場１が組み立てられると、組み立てられた枠組足場１の最上階にクライミング用電動チェ−ンブロックが用意される。次いで、電動チェ−ンブロックのフックを、枠組足場７に結合されている各個の建地補強用部材２１に引掛けて安定性を保ち、両建地補強用部材２１、２１間に結合されている水平つなぎ部材２４と筋交い２５との枠組足場からの結合を解きながら、電動チェ−ンブロックによる引き上げを行って、天井クレーン支持部材２の盛り替えを行っている。
【００３３】
尚、本実施の形態では、枠組足場に開口部を設け、この開口部から資材を吊り上げた後に、施工現場内に搬入して所定の場所に移送する例で説明してきたが、盛り替えが完了した後の開口部は、通常の枠組足場と同様に開口部を塞ぐ枠組足場の組み立てが行われることで、仕上げ作業等の施工に支障を生じないように考慮されることは当然のことである。
【００３４】
上記作業を繰り返すことによって建物の構築は完工するが、本実施の形態では建物の建築現場において必須である、建物の外周に組み立てられて行く枠組足場に、枠組足場と並行に設けた走行レールを配置して天井クレーンを構成しているものであり、天井クレーンを盛り替えしながら、開口部を設けることで、搬入されてくる建築資材を随時吊り上げて構築中の建屋内に搬入し、走行レールに沿って作業現場内を移送しており、クレーン支柱等を設けることなく必要な揚重作業を実施している。
【００３５】
次に、本発明による枠組足場に組込んだ天井クレーンにおける他の実施形態について説明する。
【００３６】
本実施の形態における天井クレーンは、天井クレーンの支持部材を、開口部の側部を構成する枠組足場の間に装備される梁部材から構成して、梁部材に開口部を出入する天井クレーンの吊下親材を配備することを特徴としており、資材を吊り上げて作業階に搬入している。
【００３７】
図５〜８は、本実施形態を示しており、図５は、天井クレーンを配備した枠組足場の斜視図である。図６は、補強された通常の枠組足場の間に組込んだ天井クレーンの部分斜視図、図７、８は天井クレーンを組込んだ枠組足場の正面図と平面図である。尚、上記実施の形態と同様もしくは類似の部分については、同符号を付して説明している。
【００３８】
図において、１は、建物を構築するため枠組足場であり、４１は、枠組足場の所定の位置に装備されている天井クレーンの支持部材、３−１は、支持部材に配備されている天井クレーンである。
【００３９】
枠組足場１は、図５の斜視図で示すように、建物１１を構築するためにその外周に組み立てられている通常の架設足場である。従って、枠組足場１は、壁つなぎ４によって構築が完了した躯体５から支持を取りながら、建物の構築につれて漸次上方に組み立てられて行き、建物の構築が完了した段階で解体される。
【００４０】
このために、枠組足場１には、搬送されてくる建築資材を吊り上げて建築現場に運ぶ込むための開口部６が設けてあり、開口部６の両側に配置されている通常の枠組足場７、７には、これを補強して、天井クレーン３−１の安全な稼働を可能にするための支持部材４１が装備されている。
【００４１】
天井クレーンの支持部材４１は、図６、７で詳細に示されているように、Ｈ鋼材等から成る建地補強用部材２１を枠組足場の両側にある竪枠２２に添わせて結合させ、両建地補強用部材２１、２１間に枠組足場の横枠２３に保持される水平つなぎ部材２４と筋交い２５を配置することで構成され、開口部６の側部を構成する枠組足場の建地補強用部材２１の天端部には、梁部材４２を接合する結合部材４３が装備されている。
【００４２】
これによって、上記実施の形態と同様に、枠組足場７、７は座屈を生じさせないように補強されており、天井クレーンの支持部材で補強された枠組足場の垂直荷重と倒壊防止は、通常通りに枠組足場の竪枠２２と躯体５に設けられた壁つなぎ４とによって支持されている。
【００４３】
一方の梁部材４２は、開口部６の側部を構成する枠組足場７、７の間に掛け渡してあり、建地補強用部材２１の天端部に装備された結合部材４３にボルト接合することで、天井クレーンの支持部材４１の一部を構成している。他方の梁部材４２は、開口部６の反対側を構成して通常の足場を形成している枠組足場７、７の間に掛け渡してある。
【００４４】
梁部材４２は、鋼材を組み合わせたトラス架構から構成されており、下面中央部に天井クレーン用の親材４４を取り付けるための吊下げ材４５を装備している。天井クレーン３−１は、図７の正面図で概要を示すように、親材４４と電動トロリ付き巻上機３５を装備したすべり出しビーム３２から構成されており、すべり出しビーム３２を枠組足場１の開口部６から外部に張出させて、工場等から搬送されてきた建築資材を電動トロリ付き巻上機３５で吊り上げることで、建築現場内の所定の場所に移送している。
【００４５】
親材４４は、図６、７に表示されているように角パイプ４６とその下部に溶接によって一体に設けたＩ型鋼３４から構成されている。親材４４のＩ型鋼３４には、すべり出しビーム３２を吊り下げて配置しており、すべり出しビーム３２の上面に設けた一方が電動のトロリ３６、３６によって、Ｉ型鋼３４と平行な方向に移動可能な状態を形成している。
【００４６】
上述したように、すべり出しビーム３２には電動トロリ付き巻上機３５が装備されており、図６に示すように、すべり出しビーム３２を親材４４の１側端に最大に移動させて枠組足場１の開口部６から外方に突出させながら、電動トロリ付き巻上機３５をもすべり出しビーム３２の先端にまで移動させて、必要とする資材の揚重を容易に実施している。
【００４７】
又、資材を吊り上げた電動トロリ付き巻上機３５は、そのままの状態で矢印のように作業現場に移動して、すべり出しビーム３２の電動トロリ３６による親材４４に沿った移動との兼ね合いで親材４４の他側端に最大に移動させて、作業現場における資材の搬送を簡潔に実施している。
【００４８】
本実施の形態では、図８の平面図が示すように、枠組足場１に形成した開口部６の両側には所定の範囲に亘って天井クレーンの支持部材４１が配備されており、枠組足場７の補強を兼ねている。そして、天井クレーンの支持部材４１は、その一部を構成する梁部材４２を、開口部６の側部を構成する枠組足場７、７の間に掛け渡しており、梁部材４２の下面中央に装備した吊下げ材４５によって、建物両側の枠組足場間に配置される天井クレーンを走行させるための親材４４を支持している。
【００４９】
尚、図７と共に図示している中間支持枠４７は、親材４４が天井クレーン３−１の稼働時に搬送している資材の荷重によって下方に撓むことのないように保持するために設けているものであり、必ずしも必要とするものでない。
【００５０】
図８では、すべり出しビーム３２に装備した電動トロリ付き巻上機で建築資材を吊上げ、搬入する状態を示している。
【００５１】
開口部６に到達するまでの吊上げられる資材４８は、図示のように、枠組足場１の方向に沿った並行状態を維持させており、すべり出しビーム３２に加えられる荷重を低減させると共に風等の影響を受けないように配慮している。開口部に吊り上げられた資材は、その方向を９０度回動させてから、開口部６を通過して作業現場に移動して所定の位置に降下させるものであり、すべり出しビーム３２の電動トロリ３６による親材４４に沿った移動と電動トロリ付き巻上機の移動との兼ね合いで作業現場における資材の搬送を完了させている。
【００５２】
本実施の形態の場合にも、所定の作業階での施工が完了して作業階を上方に移動させる場合には、天井クレーンの支持部材４１が配備されている枠組足場７を含んだ枠組足場１の上方に、通常の施工手順に従って枠組足場１の組み立てが漸次行われている間に、天井クレーン３−１の解体と吊下げ材４５からの親材４４の取り外しが行われる。
【００５３】
次いで、所定の枠組足場１が組み立てられると、組み立てられた枠組足場１の最上階にクライミング用電動チェ−ンブロックを用意し、電動チェ−ンブロックのフックを、枠組足場７に結合されている各個の建地補強用部材２１に引掛けて安定性を保ち、両建地補強用部材２１、２１間に結合されている水平つなぎ部材２４と筋交い２５との枠組足場からの結合を解きながら、電動チェ−ンブロックによる引き上げを行って、天井クレーン支持部材４１の盛り替えを行っている。
【００５４】
そして、盛り替えが完了した後の開口部は、通常の枠組足場と同様に開口部を塞ぐ枠組足場の組み立てを行って、仕上げ作業等の施工に支障を生じないようにしている。
【００５５】
上記作業を繰り返すことによって建物の構築は完工するが、本実施の形態では建物の建築現場において必須である、建物の外周に組み立てられて行く枠組足場に開口部と天井クレーンを構成して、天井クレーンを盛り替えしながら搬入されてくる建築資材を随時吊り上げて、開口部から構築中の建屋内に搬入、移送しており、クレーン支柱等を設けることなく必要な揚重作業を実施している。
【００５６】
以上のように、本発明による枠組足場に組込んだ天井クレーンは、建物の建築現場において必須である建物の外周に組み立てられて行く枠組足場に天井クレーンを構成しており、開口部を形成し、クレーン支柱等を設けずに天井クレーンを盛り替えしながら配備する天井クレーンを構成することで、搬入されてくる建築資材を随時吊り上げて、開口部から建屋内に運搬するものであるから、狭隘な敷地における揚重設備の問題を解決していることに加えて、開口部からの資材搬入を可能にしている。
【００５７】
以上、本発明を実施の形態に基づいて詳細に説明してきたが、本発明による枠組足場に組込んだ天井クレーンは、上記実施の形態に何ら限定されるものでなく、枠組足場の形態、天井クレーンの支持部材、梁部材の形状等に関して、本発明の趣旨を逸脱しない範囲において種々の変更が可能であることは当然のことである。
【００６０】
【発明の効果】
請求項１に記載の発明である枠組足場に組込んだ天井クレーンは、構築する建物の外周に組み立てられている枠組足場と、枠組足場の所定範囲に装備される天井クレーンの支持部材及び支持部材に配備される天井クレーンから構成され、枠組足場の所定範囲を、枠組足場に形成される天井クレーンの出入可能な開口部とし、開口部の側部を構成する枠組足場に天井クレーンの支持部材を装備して、支持部材に開口部を出入する天井クレーンを配備することを特徴としているので、建物の外周に組み立てられて行く枠組足場に天井クレーンを盛り替えしながら配備して、狭隘な敷地における揚重設備を構成する効果に加えて、開口部からの資材搬入を可能にする効果を奏している。
【００６１】
請求項２に記載の発明である枠組足場に組込んだ天井クレーンは、請求項１に記載の天井クレーンにおいて、支持部材を、枠組足場と並行に設けられる走行レールから構成して、走行レールと開口部に沿って天井クレーンが移動することを特徴としているので、上記効果に加えて、資材を吊り上げてから作業現場内を広く稼働できる効果を奏している。
【００６２】
請求項３に記載の発明である枠組足場に組込んだ天井クレーンは、請求項１に記載の天井クレーンにおいて、支持部材を、開口部の側部を構成する枠組足場の間に装備される梁部材から構成して、梁部材に開口部を出入する天井クレーンの吊下親材を配備することを特徴としているので、上記効果に加えて、資材を吊り上げて作業階に搬入できる効果を奏している。
【図面の簡単な説明】
【  図１】本発明による枠組足場に組込んだ天井クレーンの斜視図
【  図２】本発明による枠組足場に組込んだ天井クレーンの部分斜視図
【  図３】本発明による枠組足場に組込んだ天井クレーンの正面図
【  図４】本発明による枠組足場に組込んだ天井クレーンの平面図
【  図５】本発明による枠組足場に組込んだ天井クレーンにおける他の実施形態の斜視図
【  図６】本発明による枠組足場に組込んだ天井クレーンにおける他の実施形態の部分斜視図
【  図７】本発明による枠組足場に組込んだ天井クレーンにおける他の実施形態の正面図
【  図８】本発明による枠組足場に組込んだ天井クレーンにおける他の実施形態の平面図図
【  図９】従来の小規模住宅における揚重機の概要図
【  図１０】従来の小規模住宅における揚重機の拡大部分概要図
【符号の説明】
１  枠組足場、  ２  天井クレーンの支持部材、
３、３−１  天井クレーン、  １１  建物、  ４  壁つなぎ、  ５  躯体、
６  開口部、  ７  枠組足場、
２１  建地補強用部材、  ２２  竪枠、  ２３  横枠、
２４  水平つなぎ部材、  ２５  筋交い、
２６  走行レール支持用ブラケット、  ２７  天井クレーン用走行レール、
２８  走行移動体、  ２９  電動トロリー、  ３１  ガーダー、
３２  すべり出しビーム、  ３３  角パイプ、  ３４  Ｉ型鋼、
３５  電動トロリ付き巻上機、  ３６  トロリ、
４１  天井クレーンの支持部材、  ４２  梁部材、  ４３  結合部材、
４４  親材、  ４５  吊下げ材、  ４６  角パイプ、  ４７  中間支持枠、
４８  建築資材、
５０  天井クレーン、  ５１  足場支柱、  ５２  ブラケット、
５３  レール、  ５４  クレーンビーム、  ５５  トロリー、
【図１】
0004303400.tif 000002
【図２】
0004303400.tif 000003
【図３】
0004303400.tif 000004
【図４】
0004303400.tif 000005
【図５】
0004303400.tif 000006
【図６】
0004303400.tif 000007
【図７】
0004303400.tif 000008
【図８】
0004303400.tif 000009
【図９】
0004303400.tif 000010
【図１０】
0004303400.tif 000011